(57)【特許請求の範囲】
【請求項１】
遮光性材料から成り、帯状に形成され、長手方向に垂直な幅方向に予め定める間隔をあけて並んで配置される複数の採光用スラットであって、厚み寸法および前記予め定める間隔が、幅方向を鉛直方向としたとき水平面に対して上方に３１°以上の角度を成す平行光が各採光用スラット間の空隙を通過することを阻止する値に設定される複数の採光用スラットを含む採光用スラット構造体と、
遮光性材料から成り、帯状に形成され、長手方向に垂直な幅方向に隣接して互いに接続される複数の遮光用スラットを含む遮光用スラット構造体とを有し、
前記採光用スラット構造体と前記遮光用スラット構造体とは、幅方向に連結され、
前記採光用スラットの幅方向の寸法は、前記遮光用スラットの幅方向の寸法よりも小さく、
前記各採光用スラットは、採光用スラットの幅方向の端部において、互いに隣接する採光用スラットを幅方向に伸縮可能に接続する接続部を含み、前記接続部は、前記予め定める間隔を、０ｍｍ以上であり前記設定された値以下に変位可能であり、
互いに隣接する遮光用スラットは、一方の遮光用スラットの幅方向の端部と、該端部に隣接する他方の遮光用スラットの幅方向の端部とが、長手方向に延びる軸線まわりに角変位可能に、かつ幅方向に伸縮しないような形態で連結されていることを特徴とするシャッタ。
【請求項２】
前記採光用スラットは、厚み寸法が７ｍｍに形成され、前記予め定める間隔が４ｍｍに設定されることを特徴とする請求項１に記載のシャッタ。
【請求項３】
前記採光用スラット構造体は、前記遮光用スラット構造体よりも上方に配置され、
開口部を有する建物において、前記開口部が規定する開口領域を前記建物の外方から覆う位置に設置されることを特徴とする請求項１または２に記載のシャッタ。
【請求項４】
前記採光用スラット構造体の下端部は、前記建物の室内の床面から上方に１７１０ｍｍ
以上の位置に配置されることを特徴とする請求項３に記載のシャッタ。
【発明の詳細な説明】
【技術分野】
【０００１】
本発明は、シャッタに関する。
【背景技術】
【０００２】
第１の従来技術に係るシャッタの通風装置は、多数枚の横スラットを上下方向に遊びをもって連結してなるシャッターパネルを、機械的巻上げ手段によって常時巻き上げ方向に付勢し、シャッターパネルを引き下ろすことにより閉鎖する。シャッタの通風装置は、高さ方向中間部の上位と下位の２カ所で、閉鎖したシャッターパネルを選択的に停止する停止機構を備える。シャッタの通風装置は、停止機構よりも下側におけるスラットの連結部分に通風孔を設け、シャッターパネルを上位に停止した場合は、その停止位置よりも下側の各スラットが自重により離間動作して通風孔が開口し、下位に停止した場合は、その停止位置よりも下側の各スラットが密接動作して通風孔が閉口する（たとえば特許文献１参照）。
【０００３】
第２の従来技術に係るシャッタは、スラットを巻き上げる巻き上げバネを設け、スラットの上下方向中間部に中間ロック装置を設け、該中間ロック装置のロックレバーより下方に通風孔を有するスラットを設ける。シャッタは、連結されたスラットに通風孔を設けているので通風機能を有する（たとえば特許文献２参照）。
【先行技術文献】
【特許文献】
【０００４】
【特許文献１】特開平８−１３５３４１号公報
【特許文献２】特開平８−２１１６７号公報
【発明の概要】
【発明が解決しようとする課題】
【０００５】
第１の従来技術に係るシャッタの通風装置および第２の従来技術に係るシャッタは、通風孔から太陽光が通過する構成であるので、通過した太陽光によって室内が高温になるという問題がある。また、太陽光の通過を抑制するために通風孔を小さく形成すると、通風性および採光性が悪化するという問題もある。
【０００６】
本発明の目的は、直射日光の遮蔽性を高めることができるシャッタを提供することである。
【課題を解決するための手段】
【０００７】
本発明は、遮光性材料から成り、帯状に形成され、長手方向に垂直な幅方向に予め定める間隔をあけて並んで配置される複数の採光用スラットであって、厚み寸法および前記予め定める間隔が、幅方向を鉛直方向としたとき水平面に対して上方に３１°以上の角度を成す平行光が各採光用スラット間の空隙を通過することを阻止する値に設定される複数の採光用スラットを含む採光用スラット構造体と、
遮光性材料から成り、帯状に形成され、長手方向に垂直な幅方向に隣接して互いに接続される複数の遮光用スラットを含む遮光用スラット構造体とを有し、
前記採光用スラット構造体と前記遮光用スラット構造体とは、幅方向に連結され、
前記採光用スラットの幅方向の寸法は、前記遮光用スラットの幅方向の寸法よりも小さく、
前記各採光用スラットは、採光用スラットの幅方向の端部において、互いに隣接する採光用スラットを幅方向に伸縮可能に接続する接続部を含み、前記接続部は、前記予め定める間隔を、０ｍｍ以上であり前記設定された値以下に変位可能であり、
互いに隣接する遮光用スラットは、一方の遮光用スラットの幅方向の端部と、該端部に隣接する他方の遮光用スラットの幅方向の端部とが、長手方向に延びる軸線まわりに角変位可能に、かつ幅方向に伸縮しないような形態で連結されていることを特徴とするシャッタである。
【０００９】
また本発明は、前記採光用スラットは、厚み寸法が７ｍｍに形成され、前記予め定める間隔が４ｍｍに設定されることを特徴とする。
【００１１】
また本発明は、前記採光用スラット構造体は、前記遮光用スラット構造体よりも上方に配置され、
開口部を有する建物において、前記開口部が規定する開口領域を前記建物の外方から覆う位置に設置されることを特徴とする。
【００１２】
また本発明は、前記採光用スラット構造体の下端部は、前記建物の室内の床面から上方に１７１０ｍｍ以上の位置に配置されることを特徴とする。
【発明の効果】
【００１３】
本発明によれば、シャッタは、採光用スラット構造体と、遮光用スラット構造体とを有する。採光用スラット構造体は、複数の採光用スラットを含んで構成される。採光用スラットは、遮光性材料から成り、帯状に形成される。複数の採光用スラットは、長手方向に垂直な幅方向に予め定める間隔をあけて並んで配置される。複数の採光用スラットは、厚み寸法および予め定める間隔が、幅方向を鉛直方向としたとき水平面に対して上方に３１°以上の角度を成す平行光が各採光用スラット間の空隙を通過することを阻止する値に設定される。遮光用スラット構造体は、複数の遮光用スラットを含んで構成される。遮光用スラットは、遮光性材料から成り、帯状に形成される。複数の遮光用スラットは、長手方向に垂直な幅方向に隣接して互いに接続される。採光用スラット構造体と遮光用スラット構造体とは、幅方向に連結される。採光用スラットの幅方向の寸法は、遮光用スラットの幅方向の寸法よりも小さい。各採光用スラットは、採光用スラットの幅方向の端部において、互いに隣接する採光用スラットを幅方向に伸縮可能に接続する接続部を含む。接続部は、予め定める間隔を、０ｍｍ以上であり設定された値以下に変位可能である。互いに隣接する遮光用スラットは、一方の遮光用スラットの幅方向の端部と、該端部に隣接する他方の遮光用スラットの幅方向の端部とが、長手方向に延びる軸線まわりに角変位可能に、かつ幅方向に伸縮しないような形態で連結されている。
【００１４】
これによって、採光用スラット構造体は、たとえば採光用スラットを建物の窓などの開口部に設置されることによって、各採光用スラット間の空隙からの通気および採光を可能とし、さらに太陽高度が３１°以上の日射を遮蔽することができる。したがって、空隙を通過する太陽光によって、室内の温度が上昇することを抑制することができる。
これによって、シャッタは、建物の窓などの開口部に設置されると、各採光用スラット間の空隙によって建物の外部空間と内部空間とを連通させ、シャッタを閉じた状態であっても通気および採光を可能とすることができる。また、シャッタは、太陽高度が３１°以上の日射を遮蔽することができる。したがって、空隙を通過する太陽光によって、室内の温度が上昇することを抑制することができる。
【００１６】
また、採光用スラット構造体は、少なくとも太陽高度が３１°以上の日射を遮蔽しつつ、各採光用スラット間の空隙からの通気量および採光量を調整することができる。また、採光用スラット構造体は、接続部によって予め定める間隔が０ｍｍにされると、空隙が形成されない構成となり、防犯効果を高めることができる。
【００１７】
また本発明によれば、採光用スラットは、厚み寸法が７ｍｍに形成され、予め定める間隔が４ｍｍに設定される。
【００１８】
これによって、採光用スラット構造体は、予め定める間隔が４ｍｍに設定されるので、子供が採光用スラットの間に指を挿入することができない。したがって、採光用スラット構造体は、各採光用スラット間の空隙に、子供が指を詰めることを防止することができる。したがって、採光用スラット構造体は、安全性を向上させることができる。
【００２１】
また本発明によれば、採光用スラット構造体は、遮光用スラット構造体よりも上方に配置される。シャッタは、開口部を有する建物において、開口部が規定する開口領域を建物の外方から覆う位置に設置される。
【００２２】
これによって、シャッタは、日射によって遮光用スラット構造体および採光用スラット構造体が熱せられて開口領域内の空気が高温になったときに、この高温の空気を各採光用スラット間の空隙から効率良く排出することができる。
【００２３】
また本発明によれば、採光用スラット構造体の下端部は、建物の室内の床面から上方に１７１０ｍｍ以上の位置に配置される。
【００２４】
これによって、シャッタは、建物の外方から各採光用スラット間の空隙を介しての建物内への視界を遮ることができる。したがって、シャッタは、室内においてプライバシーが侵害されることを抑制することができる。
【図面の簡単な説明】
【００２５】
【図１】本発明の実施の一形態に係るシャッタ１を示す正面図である。
【図２】図１に示したシャッタ１の一部を拡大した正面図である。
【図３】図２に示したシャッタ１を切断面線ＩＩＩ−ＩＩＩで切断した断面図である。
【図４】図２に示したシャッタ１を切断面線ＩＶ−ＩＶで切断した断面図である。
【図５】シャッタ１が収納ボックス２４に収納されている状態の断面図である。
【図６】シャッタ１の使用態様を説明するための一部の図である。
【図７】シャッタ１の使用態様を説明するための他の一部の図である。
【図８】シャッタ１の使用態様を説明するための残余の図である。
【図９】夏至の日の時刻ごとの日射量を示すグラフである。
【図１０】採光用スラット６の空隙１３を通過する光の角度を説明するための図である。
【図１１】採光用スラット構造体２の間隔Ｄ１を変化させたときの日射遮蔽限界時刻および開口率を示すグラフである。
【図１２】採光用スラット構造体２の高さ寸法Ｈ２および遮光用スラット構造体３の高さ寸法Ｈ３の設定を説明するための図である。
【発明を実施するための形態】
【００２６】
図１は、本発明の実施の一形態に係るシャッタ１を示す正面図である。図１において、上下方向を鉛直方向Ｚで示し、左右方向を第２水平方向Ｘで示し、これらの第２水平方向Ｘおよび鉛直方向Ｚに垂直な方向を第１水平方向としてＹで示す。
【００２７】
シャッタ１は、開口部を有する建物において、開口部が規定する開口領域を建物の外方から覆う位置に設置される。シャッタ１は、建物の外壁に形成された開口部の屋外側において、鉛直方向Ｚにスライド移動可能に配置されることによって、この開口部を開閉可能とする。建物には、たとえば住宅、福祉施設、宿泊施設、商業施設、公共施設、およびその他の建築物が含まれる。開口部には、たとえば下部を床面と同一平面に設けた掃出し窓などの各種の窓が含まれる。
【００２８】
シャッタ１は、第１水平方向Ｙから見て、大略的に矩形の板状に形成される。シャッタ１は、鉛直方向Ｚの高さ寸法Ｈ１がたとえば２３８３ｍｍに形成され、第２水平方向Ｘの幅寸法Ｗ１がたとえば１７２５ｍｍに形成される。寸法Ｈ１の最大値は、２３８３ｍｍである。開口部は、たとえば高さ寸法Ｈ１が、シャッタ１の高さ寸法Ｈ１と同様の２３８３ｍｍに形成され、幅寸法が、シャッタ１の幅寸法Ｗ１である１７２５ｍｍよりも僅かに小さく形成される。
【００２９】
シャッタ１は、前記採光用スラット構造体２と、遮光用スラット構造体３とを含んで構成される。採光用スラット構造体２は、複数の採光用スラット６を含んで構成される。採光用スラット構造体２は、高さ寸法Ｈ２がたとえば４１８ｍｍに設定される。
【００３０】
複数の採光用スラット６は、遮光性材料、たとえばアルミニウムから成り、大略的に帯状に形成される。複数の採光用スラット６は、各採光用スラット６の長手方向Ｘを略水平にして、かつ長手方向Ｘに垂直な幅方向Ｚを略鉛直にした姿勢で配置される。略水平は、水平を含み、略鉛直は、鉛直を含む。
【００３１】
複数の採光用スラット６は、各採光用スラット６の厚みＴ１寸法および予め定める間隔Ｄ１が、採光用スラット６の幅方向と鉛直方向Ｚとを一致させた状態において水平面に対して上方に３１°以上の角度を成す太陽光などの平行光が各採光用スラット６間の空隙１３を通過することを阻止する値に設定される。
【００３２】
遮光用スラット構造体３は、複数の遮光用スラット７を含む。遮光用スラット構造体３は、高さ寸法Ｈ３がたとえば１９６５ｍｍに設定される。複数の遮光用スラット７は、遮光性材料、たとえば鉄から成り、大略的に帯状に形成される。複数の遮光用スラット７は、採光用スラット６と同一の姿勢、すなわち各遮光用スラット７の長手方向Ｘを略水平にして、かつ長手方向Ｘに垂直な幅方向Ｚを略鉛直にした姿勢で、幅方向Ｚに隣接して互いに接続される。
【００３３】
鉛直方向Ｚに互いに隣接する採光用スラット６と遮光用スラット７とには、互いを鉛直方向Ｚに連結する連結部１７がそれぞれ形成される。採光用スラット構造体２は、遮光用スラット構造体３よりも上方に配置される。採光用スラット構造体２の鉛直方向Ｚの下端部は、建物の室内の床面から上方に１７１０ｍｍ以上の位置に配置される。
【００３４】
開口部には、開口部の第２水平方向Ｘの両側部に形成され、シャッタ１の第２水平方向Ｘの両端部を支持するガイド１１が形成される。各ガイド１１は、シャッタ１を鉛直方向Ｚに摺動可能に支持する。シャッタ１は、採光用スラット６および遮光用スラット７の幅方向を鉛直方向Ｚに一致させた姿勢を維持して、鉛直方向Ｚに移動可能である。
【００３５】
シャッタ１は、第２水平方向Ｘの両端部において、第２水平方向Ｘの予め定める寸法Ｗ２、たとえば３２．５ｍｍの領域が、ガイド１１内に配置される。したがって、ガイド１１の第２水平方向Ｘの内寸Ｗ３は、１６６０ｍｍとなる。
【００３６】
図２は、図１に示したシャッタ１の一部を拡大した正面図である。採光用スラット６は、金属板によって中空の直方体状に形成される。採光用スラット６は、長手方向Ｘの寸法Ｗ１がたとえば１７２５ｍｍに形成され、鉛直方向Ｚである幅方向の寸法Ｈ４がたとえば１６ｍｍに形成され、厚み方向Ｙの寸法Ｔ１がたとえば７ｍｍに形成される。各採光用スラット６は、鉛直方向Ｚに予め定める間隔Ｄ１、たとえば４ｍｍをあけて鉛直方向Ｚに並んで配置される。各採光用スラット６の鉛直方向Ｚの間には、空隙１３が形成される。
【００３７】
各採光用スラット６は、採光用スラット６の幅方向Ｚの端部において、互いに隣合う採光用スラット６を接続する接続部１６が形成される。本実施形態では、各採光用スラット６は、接続部１６によって互いに接続される。
【００３８】
遮光用スラット７は、金属板によって形成される。たとえば遮光用スラット７は、長手方向Ｘの寸法Ｗ１がたとえば１７２５ｍｍに形成され、幅方向Ｚの寸法Ｈ５が４０．６ｍｍに形成される。
【００３９】
シャッタ１には、隣接する各遮光用スラット７を互いに連結する連結部１７ａと、隣接する採光用スラット６と遮光用スラット７とを互いに連結する連結部１７ｂとが形成される。連結部１７ａと連結部１７ｂとを総称して単に「連結部１７」ともいう。連結部１７は、遮光用スラット７または採光用スラット６の幅方向Ｚの端部に形成される。
【００４０】
図３は、図２に示したシャッタ１を切断面線ＩＩＩ−ＩＩＩで切断した断面図である。図４は、図２に示したシャッタ１を切断面線ＩＶ−ＩＶで切断した断面図である。図３および図４で示すシャッタ１は、図２で示したシャッタ１にさらに遮光用スラット７が追加された構成であり、この追加された遮光用スラット７は、採光用スラット構造体２の鉛直方向Ｚの上方に連結されている。
【００４１】
図３（ａ）および図４（ａ）は、採光用スラット構造体２が鉛直方向Ｚに縮小している状態を示し、図３（ｂ）および図４（ｂ）は、採光用スラット構造体２が鉛直方向Ｚに伸長している状態を示す。
【００４２】
接続部１６は、接続凹部１６ａと、接続凸部１６ｂとによって構成される。接続凹部１６ａは、採光用スラット６の鉛直方向Ｚの下端部に形成され、鉛直方向Ｚの下方に向けて開口する凹空間を規定する。接続凸部１６ｂは、採光用スラット６の鉛直方向Ｚの上端部において、鉛直方向Ｚの上方に向けて形成される。
【００４３】
接続部１６は、接続凸部１６ｂが接続凹部１６ａに挿入された状態で、接続凹部１６ａと接続凸部１６ｂとが係合して、各採光用スラット６を鉛直方向Ｚに伸縮可能に保持する。接続部１６は、各採光用スラット６の間の間隔Ｄ１を、０ｍｍ以上であり前記予め設定された値、たとえば４ｍｍ以下に変位可能である。接続凸部１６ｂの鉛直方向Ｚの下方側に、第２水平方向Ｘに複数の空隙１３が形成される。空隙１３は、第２水平方向Ｘに複数個所、たとえば８箇所等間隔に形成される横長な矩形の貫通孔および第２水平方向Ｘの両端部に形成される横長な矩形の切れ込みを含む。空隙１３の鉛直方向Ｚの寸法は、Ｄ１と同じである。接続凸部１６ｂのうち、空隙１３が形成されない部分であって、鉛直方向Ｚの位置が空隙１３の位置に一致する部分の第２水平方向Ｘの寸法Ｗ４は、たとえば８ｍｍに形成される。接続部１６は、軸線を第２水平方向Ｘとして、各採光用スラット６を角変位可能に保持する。
【００４４】
連結部１７ａは、隣接する各遮光用スラット７の間を連結し、連結部１７ｂは、遮光用スラット７と採光用スラット６との間を連結する。
【００４５】
連結部１７ａは、隣接する各遮光用スラット７の鉛直方向Ｚの端部において、板状の両端部を互いに巻き込んで係合させて形成される。連結部１７ａは、第２水平方向Ｘを軸線として、各遮光用スラット７を角変位可能に連結する。
【００４６】
採光用スラット６は、遮光用スラット７に隣接する鉛直方向Ｚの上端部または下端部に、鉛直方向Ｚに延びる板状体が形成される。連結部１７ｂは、隣接する遮光用スラット７と採光用スラット６との端部において、板状の両端部を互いに巻き込んで係合させて形成される。連結部１７ｂは、軸線を第２水平方向Ｘとして、遮光用スラット７および採光用スラット６を角変位可能に連結する。
【００４７】
図５は、シャッタ１が収納ボックス２４に収納されている状態の断面図である。収納ボックス２４は、建物の開口部２２の上方の位置において、屋外側の外壁２１に固定される。収納ボックス２４は、シャッタ１を巻き取って収納する。図５において、シャッタ１は、採光用スラット６の下方に遮光用スラット７が接続され、遮光用スラット７の下方に座板２３が接続される構成である。
【００４８】
収納ボックス２４は、筐体２５と、巻取りドラム２６と、モータ２７とを含んで構成される。筐体２５は、金属、樹脂などの板状部材によって形成される。筐体２５は、大略的に直方体状に形成され、巻取りドラム２６およびモータ２７が内部に配置される。筐体２５は、外壁２１に固着される。
【００４９】
筐体２５の下端には、筐体開口部２９が形成される。筐体開口部２９には、ガイド１１の鉛直方向Ｚの上端部が挿入される。巻取りドラム２６は、大略的に円柱状に形成される。巻取りドラム２６は、軸線を第２水平方向Ｘに向けて配置される。巻取りドラム２６には、シャッタ１の最上端に配置される遮光用スラット７が接続される。
【００５０】
モータ２７は、図示しない動力伝達ベルトによって巻取りドラム２６に接続され、巻取りドラム２６を回転駆動させる。巻取りドラム２６が回転駆動することによって、シャッタ１を開口部２２において開閉することができる。
【００５１】
図６は、シャッタ１の使用態様を説明するための一部の図である。図７は、シャッタ１の使用態様を説明するための他の一部の図である。図８は、シャッタ１の使用態様を説明するための残余の図である。図６、図７および図８は、室内から窓３１を見た状態を示す。窓３１は、外壁２１の開口部に設置される掃出し窓であり、窓枠３２と窓ガラス３３とを含んで構成される。
【００５２】
図６（ａ）は、第１状態である完全開状態のシャッタ１を示す図である。この第１状態では、シャッタ１の全てが収納ボックス２４に収納されている。したがって、窓枠３２によって規定される開口領域３４の全てが開状態、すなわちシャッタ１が窓３１を覆わない状態になり、窓３１から室内に太陽光が照射され得る。
【００５３】
図６（ｂ）は、第２状態である下部開状態のシャッタ１を示す図である。この第２状態は、第１状態からシャッタ１を下降させた状態であり、シャッタ１の約半分が閉じられている。遮光用スラット構造体３は、窓３１の上半分を覆う。
【００５４】
図７（ａ）は、第３状態である上部および下部開状態のシャッタ１を示す図である。この第３状態は、第２状態からシャッタ１をさらに下降させた状態である。採光用スラット構造体２は、窓３１の鉛直方向Ｚの上端部を覆い、遮光用スラット構造体３は、窓３１の鉛直方向Ｚの両端部間の中央部を覆う。窓３１の鉛直方向Ｚの下端部は、開状態となる。
【００５５】
図７（ｂ）は、第４状態である上部開状態のシャッタ１を示す図である。この第４状態は、第３状態からシャッタ１をさらに下降させた状態である。採光用スラット構造体２は、窓３１の上端部を覆う。接続部１６は、鉛直方向Ｚに伸縮可能であり、シャッタ１の自重によって鉛直方向Ｚの下方に伸びて、各採光用スラット６の間隔を予め定める値に保持する。遮光用スラット構造体３は、窓３１の鉛直方向Ｚの中央部および下端部を覆う。
【００５６】
図８（ａ）は、第５状態である上部閉状態のシャッタ１を示す図である。この第５状態は、第４状態からシャッタ１をさらに下降させた状態である。採光用スラット構造体２は、窓３１の上端部を覆う。採光用スラット構造体２は、窓３１の上端部のうちの鉛直方向Ｚの上半分において、接続部１６が伸びて採光用スラット６の間隔を予め定める値に保持し、窓３１の上端部のうちの鉛直方向Ｚの下半分において、接続部１６が縮んで採光用スラット６の間隔を０ｍｍに保持する。遮光用スラット構造体３は、窓３１の中央部および下端部を覆う。
【００５７】
図８（ｂ）は、第６状態である完全閉状態のシャッタ１を示す図である。この第６状態は、第５状態からシャッタ１をさらに下降させた状態である。採光用スラット構造体２は、窓３１の上端部を覆う。この窓３１の上端部において、採光用スラット構造体２は、接続部１６の全てが縮んで、採光用スラット６の間隔を０ｍｍに保持する。遮光用スラット構造体３は、窓３１の中央部および下端部を覆う。
【００５８】
図９は、夏至の日の時刻ごとの日射量を示すグラフである。図９のグラフは、縦軸に日射量（Ｗ／ｍ２）を示し、横軸に時刻を示す。このグラフにおいて、曲線Ａ１は水平面での日射量を表し、曲線Ａ２は東向きの鉛直面である東面での日射量を表し、曲線Ａ３は西向きの鉛直面である西面での日射量を表し、曲線Ａ４は南向きの鉛直面である南面での日射量を表し、曲線Ａ５は北向きの鉛直面である北面での日射量を表す。
【００５９】
住宅においては、西日が室内に照射されると、室温が上昇するので、西日の日射量の極大値を示す時刻近傍の日射を遮蔽することが求められる。曲線Ａ３は、１５時から１６時３０分までの時刻に極大値近傍の日射量であることを示す。
【００６０】
【表１】
0005748425.tif 000002
【００６１】
表１は、夏至の日の時刻ごとの太陽高度を示す。採光用スラット構造体２が１５時から１６時３０分までの日射を遮蔽するためには、太陽高度が３１°以上の日射を遮蔽すればよいことがわかる。表１および図９のデータは、測定地点が北緯３５°で、大気透過率０．７の日射量でのデータである。
【００６２】
図１０は、採光用スラット６の空隙１３を通過する光の角度を説明するための図である。図１０（ａ）は、採光用スラット６の断面図を示し、図１０（ｂ）は、図１０（ａ）で示した採光用スラット６の空隙１３を拡大した図を示す。
【００６３】
採光用スラット６は、厚み寸法がＴ１および幅寸法がＨ４によって形成され、各採光用スラット６は、鉛直方向Ｚに間隔Ｄ１を開けて配置される。各採光用スラット６の間には、空隙１３が形成される。空隙１３を通過する平行光の角度θは、「ｔａｎθ＝Ｄ１／Ｔ１」によって表わされる。
【００６４】
【表２】
0005748425.tif 000003
【００６５】
表２は、採光用スラット６の厚み寸法Ｔ１および間隔Ｄ１と、角度θとの関係を示す。表２から、太陽高度３１°以上の日射を遮蔽、すなわち太陽高度０°以上３１°未満の日射のみを通過させるために必要な採光用スラット６の厚み寸法Ｔ１および間隔Ｄ１の値が得られる。
【００６６】
図１１は、採光用スラット構造体２の間隔Ｄ１を変化させたときの日射遮蔽限界時刻および開口率を示すグラフである。図１１のグラフは、左の縦軸が時刻を示し、右の縦軸が開口率を示し、横軸が間隔Ｄ１の長さを示す。
【００６７】
図１１に示した例では、採光用スラット構造体２は、鉛直方向Ｚの寸法Ｈ２が４００ｍｍに形成される。採光用スラット構造体２は、厚み寸法Ｔ１が７ｍｍに形成され、幅寸法Ｈ４が１６ｍｍに形成される。採光用スラット構造体２は、長手方向Ｘの寸法Ｗ１が建物の開口部の第２水平方向Ｘの内寸よりも大きく形成される。
【００６８】
採光用スラット構造体２の間隔Ｄ１は、以下の（１）〜（３）の観点から設定される。
（１）日射遮蔽の観点
日射遮蔽限界時刻とは、採光用スラット構造体２が日射を遮蔽することができる時刻を示し、線分Ｂ１によって表わされる。たとえば線分Ｂ１は、採光用スラット６の間隔Ｄ１が４ｍｍのときに、約１６時３５分以前の日射を遮蔽することができることを表す。前述したように、採光用スラット構造体２が１５時から１６時３０分までの日射を遮蔽する必要があるので、間隔Ｄ１は、４ｍｍ以下が好ましい。
【００６９】
（２）開口率の観点
開口率とは、第１水平方向Ｙから見た、空隙１３が開口した状態での採光用スラット構造体２の板状部分と遮光用スラット構造体３との面積に対する空隙１３の面積の割合を百分率で示したものであり、線分Ｂ２によって表わされる。たとえば線分Ｂ２は、採光用スラット６の間隔Ｄ１が４ｍｍのときに、約２．７％の開口率を示す。採光用スラット構造体２は、開口率が高くなると、高い採光性および通風性を発揮することができる。したがって、開口率を高くするために、間隔Ｄ１は、大きい値に設定することが好ましい。
【００７０】
（３）安全面の観点
採光用スラット構造体２は、接続部１６によって鉛直方向Ｚに伸長可能であるので、間隔Ｄ１が０ｍｍになることがある。したがって、子供の指詰めを防止するために、採光用スラット構造体２の間隔Ｄ１は、５ｍｍ以下が好ましい。
【００７１】
これらの（１）〜（３）の観点から、採光用スラット構造体２は、厚み寸法Ｔ１が７ｍｍのときに、間隔Ｄ１が４ｍｍに設定されることが最も好ましい。
【００７２】
採光用スラット構造体２の厚み寸法Ｔ１は、遮光用スラット７と同等の厚みとすることによって、巻取りドラム２６に巻き取る過程において、その巻径が遮光用スラット７のみから構成されるシャッタの巻径に比して極端に変化しないように考慮し、巻径を小さくかつ巻かれた形状が真円に近づくように決定される。また、採光用スラット構造体２の幅寸法Ｈ４は、遮光用スラット７の幅よりも小さくすることによって、関節に相当する角変位可能な接続部１６を増やし、巻取りドラム２６に巻き取る過程において、その巻径が遮光用スラット７のみから構成されるシャッタの巻径に比して極端に変化しないように考慮し、巻径を小さくかつ巻かれた形状が真円に近づくように決定される。また、幅寸法Ｈ４は、その他、採光用スラット６間の接続部１６や巻きに添うような外形等の複合要素も考慮して決定される。
【００７３】
図１２は、採光用スラット構造体２の高さ寸法Ｈ２および遮光用スラット構造体３の高さ寸法Ｈ３の設定を説明するための図である。
【００７４】
図１２に示した例では、シャッタ１は、高さ寸法Ｈ１が２２７３ｍｍに設定され、「Ｈ１＝Ｈ２＋Ｈ３」の関係となる。室内の床面３７と屋外の地面３８との間の鉛直方向Ｚの長さΔＬは、５９３ｍｍであるとする。地面３８から採光用スラット６の下端部までの長さである屋外高さ寸法Ｈ６は、「Ｈ６＝Ｈ３＋ΔＬ」によって算出される。
【００７５】
【表３】
0005748425.tif 000004
【００７６】
表３は、採光用スラット構造体２の高さ寸法Ｈ２と、屋外高さ寸法Ｈ６と、遮光用スラット構造体３の高さ寸法Ｈ３との関係を示す。
【００７７】
採光用スラット構造体２の高さ寸法Ｈ２は、以下の（４），（５）の観点から設定される。
【００７８】
（４）視界の遮断の観点
日本人の平均身長は、男性が約１７１ｃｍであり、女性が約１５８ｃｍである。遮光用スラット構造体３の高さ寸法Ｈ３が、１７１ｃｍ以上の値に設定されると、室内の床面３７に人が立っている状態において、屋外から空隙１３を介して室内の人が視認されることを妨げることができる。したがって、シャッタ１の高さ寸法Ｈ１が２２７３ｍｍに設定される場合において、遮光用スラット構造体３の高さ寸法Ｈ３が「Ｈ３≧１７１０（ｍｍ）」であり、かつ採光用スラット構造体２の高さ寸法Ｈ２が「Ｈ２≦５６３（ｍｍ）」であることが好ましい。
【００７９】
（５）既存の収納ボックス２４の寸法の観点
シャッタ１の高さ寸法Ｈ１が２２７３ｍｍに設定される場合において、採光用スラット構造体２の高さ寸法Ｈ２を４００ｍｍに形成したとき、このシャッタ１の巻径が約１６０ｍｍとなり、既存の収納ボックス２４の第１水平方向Ｙの内寸である１９３ｍｍよりも小さくなる。採光用スラット構造体２の高さ寸法Ｈ２を１００ｍｍ大きくすると、シャッタ１の巻径が、１５ｍｍ大きくなる。したがって、シャッタ１を既存の収納ボックス２４に収納可能にするためには、採光用スラット構造体２の高さ寸法Ｈ２を４００ｍｍ以下に設定することが好ましい。また、開口率を大きくするためには、採光用スラット構造体２の高さ寸法Ｈ２を大きくすることが好ましい。
【００８０】
これらの（４），（５）の観点から、シャッタ１の高さ寸法Ｈ１が２２７３ｍｍのときに、採光用スラット構造体２の高さ寸法Ｈ２が４００ｍｍに設定されることが最も好ましい。また、上述したように、シャッタ１の高さ寸法Ｈ１が２３８３ｍｍであるときは、採光用スラット構造体２の高さ寸法Ｈ２が４１８ｍｍに設定されることが最も好ましい。
【００８１】
このように、採光用スラット構造体２は、複数の採光用スラット６を含んで構成される。採光用スラット６は、遮光性材料から成り、帯状に形成される。複数の採光用スラット６は、長手方向Ｘに垂直な幅方向Ｚに予め定める間隔をあけて並んで配置される。複数の採光用スラット６は、厚み寸法Ｔ１および予め定める間隔Ｄ１が、幅方向を鉛直方向Ｚとしたとき水平面に対して上方に３１°以上の角度を成す平行光が各採光用スラット６間の空隙１３を通過することを阻止する値に設定される。
【００８２】
これによって、採光用スラット構造体２は、たとえば採光用スラット６を建物の窓３１などの開口部２２に設置されることによって、各採光用スラット６間の空隙１３からの通気および採光を可能とし、さらに太陽高度が３１°以上の日射を遮蔽することができる。したがって、空隙１３を通過する太陽光によって、室内の温度が上昇することを抑制することができる。
【００８３】
また、各採光用スラット６は、採光用スラット６の幅方向Ｚの端部において、互いに隣合う採光用スラット６を接続する接続部１６を少なくとも１つ含む。接続部１６は、予め定める間隔を、０ｍｍ以上であり設定された値以下に変位可能である。
【００８４】
これによって、採光用スラット構造体２は、少なくとも太陽高度が３１°以上の日射を遮蔽しつつ、各採光用スラット６間の空隙１３からの通気量および採光量を調整することができる。また、採光用スラット構造体２は、接続部１６によって予め定める間隔が零にされると、空隙１３が形成されない構成となり、防犯効果を高めることができる。
【００８５】
また、採光用スラット６は、厚み寸法が７ｍｍに形成され、予め定める間隔が４ｍｍに設定される。
【００８６】
これによって、採光用スラット構造体２は、予め定める間隔が４ｍｍに設定されるので、子供が採光用スラット６の間に指を挿入することができない。したがって、採光用スラット構造体２は、各採光用スラット６間の空隙１３に、子供が指を詰めることを防止することができる。したがって、採光用スラット構造体２は、安全性を向上させることができる。
【００８７】
また、シャッタ１は、採光用スラット構造体２と、遮光用スラット構造体３とを有する。遮光用スラット構造体３は、複数の遮光用スラット７を含んで構成される。遮光用スラット７は、遮光性材料から成り、帯状に形成される。複数の遮光用スラット７は、長手方向Ｘに垂直な幅方向Ｚに隣接して互いに接続される。採光用スラット構造体２と遮光用スラット構造体３とは、幅方向Ｚに連結される。
【００８８】
これによって、シャッタ１は、建物の窓３１などの開口部２２に設置されると、各採光用スラット６間の空隙１３によって建物の外部空間と内部空間とを連通させ、シャッタ１を閉じた状態であっても通気および採光を可能とすることができる。また、シャッタ１は、太陽高度が３１°以上の日射を遮蔽することができる。したがって、空隙１３を通過する太陽光によって、室内の温度が上昇することを抑制することができる。
【００８９】
また、採光用スラット構造体２は、遮光用スラット構造体３よりも上方に配置される。シャッタ１は、開口部２２を有する建物において、開口部２２が規定する開口領域を建物の外方から覆う位置に設置される。
【００９０】
これによって、シャッタ１は、日射によって遮光用スラット構造体３および採光用スラット構造体２が熱せられて開口領域内の空気が高温になったときに、この高温の空気を各採光用スラット６間の空隙１３から効率良く排出することができる。
【００９１】
また、採光用スラット構造体２の鉛直方向Ｚの下端部は、建物の室内の床面３７から上方に１７１０ｍｍ以上の位置に配置される。
【００９２】
これによって、シャッタ１は、建物の外方から各採光用スラット６間の空隙１３を介しての建物内への視界を遮ることができる。したがって、シャッタ１は、室内においてプライバシーが侵害されることを抑制することができる。
【符号の説明】
【００９３】
１  シャッタ
２  採光用スラット構造体
３  遮光用スラット構造体
６  採光用スラット
７  遮光用スラット
１１  ガイド
１３  空隙
１６  接続部
１７  連結部
２１  外壁
２２  開口部
２３  座板
２４  収納ボックス
２５  筐体
２６  巻取りドラム
２７  モータ
２９  筐体開口部
３１  窓
３２  窓枠
３３  窓ガラス
３４  開口領域
３７  床面
３８  地面
【図１】
0005748425.tif 000005
【図２】
0005748425.tif 000006
【図３】
0005748425.tif 000007
【図４】
0005748425.tif 000008
【図５】
0005748425.tif 000009
【図６】
0005748425.tif 000010
【図７】
0005748425.tif 000011
【図８】
0005748425.tif 000012
【図９】
0005748425.tif 000013
【図１０】
0005748425.tif 000014
【図１１】
0005748425.tif 000015
【図１２】
0005748425.tif 000016